【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
一対のフィルタレンズを有するクリップオン・アクセサリーの１つのフィルタレンズであって、このアクセサリーを、２つの半部を持つ眼鏡に取り付けた場合にこの半部と整合する、この１つのフィルタレンズを作成するためにブランクを成形するための装置であって、前記眼鏡は、フィルタレンズの形状に一致する所定の形状を有し、
Ａ．一対の作業台であって、夫々、成形されるブランクを支持し、この作業台をドライブするための第１のモータを備えた一対の作業台と、
Ｂ．回転可能なドリルビットを備えたドリルビット・ユニットと、
Ｃ．前記ドリルビットを支持し、ブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１、第２および第３のモータの動作を制御することにより前記ブランクを前記ドリルビットで成形して、所望の形状のフィルタレンズを形成するプロセッサと、
から成る装置。
【請求項２】
前記第１、第２のおよび第３のモータの各々は、一連の直流パルスによって、電力を供給されるステッピング・モータであり、その極性が、動きの大きさと方向を決定する請求項１に記載の装置。
【請求項３】
前記コンピュータは、パルスの数および極性を変化させることによって、ステッピング・モータを制御する請求項２に記載の装置。
【請求項４】
前記ドリルビットは、フィルタレンズ上にクリップを固定させるプラグを取り付ける為の穴部を穴あけし、これにより、アクセサリーを眼鏡に引掛けることのできる請求項１に記載の装置。
【請求項５】
ドリルビット・ユニットは、モータによって連続的に回転する請求項１に記載の装置。
【請求項６】
ドリルビット・ユニットは自立的であり、その駆動モータから切り離し可能である請求項５に記載の装置。
【請求項７】
フレームの所定の形状に関するデジタルデータはコンピュータのデータベースにおいてデジタル的に保存され、このデジタルデータから、コンピュータは、モータを制御して一致する形状を有するフィルタレンズを作成する請求項１に記載の装置。
【請求項８】
クリップオンを引掛ける眼鏡のフレームをスキャンするために電子的スキャナを更に含み、このスキャナからコンピュータにフレームのデジタル画像が供給され、データベースに格納されるデータは、このデジタル画像から得られる請求項７に記載の装置。
【請求項９】
各々の作業台は、シャフトを介して自身の前記第１のモータによって駆動され、作業台を設定された位置に保持するために前記シャフトに引張り力を与えるための手段を更に備えた請求項１に記載の装置。
【請求項１０】
前記引張り力を与えるための手段は、前記シャフトの周囲の渦巻ばねによって設けられ、このばねの１つの端部は、このシャフトに接続され、別の端部は固定部に接続されている請求項９に記載の装置。
【請求項１１】
装置は、同じドリルビットによって、穿孔、切削、切欠き、および彫り込みができる請求項１に記載の装置。
【請求項１２】
眼鏡のフレームへ取り付けられ、このフレームの半部に設けられる一対のレンズを、ブランクを成形して作成するための装置であって、前記フレームは所定の形状を有し、前記装置は、
Ａ．一対の作業台であって、夫々、成形されるブランクを支持し、この作業台をドライブするための第１のモータを備えた一対の作業台と、
Ｂ．回転するドリルビットを備えたドリルビット・ユニットと、
Ｃ．前記ドリルビットを支持し、各作業台上のブランクに対して前記ドリルビットを垂直に昇降する昇降機と、この昇降機を駆動するための第２のモータと、
Ｄ．前記昇降機を支持し、水平にシフトさせ、ブランクに対して前記ドリルビットを水平方向に動かし、第３のモータによって駆動された往復台と、
Ｅ．前記第１の、第２および第３のモータの動作を制御して、前記ブランクを前記ドリルビットで成形して、所望の形状のレンズを形成するプロセッサを備えた装置。
【請求項１３】
前記第１、第２のおよび第３のモータの各々は、一連の直流パルスによって、電力を供給されるステッピング・モータであり、その極性が、動きの大きさと方向を決定する請求項１２に記載の装置。
【請求項１４】
前記プロセッサは、パルスの数および極性を変化させることによって、ステッピング・モータを制御する請求項１２に記載の装置。
【請求項１５】
ドリルビット・ユニットは、モータによって連続的に回転する請求項１２に記載の装置。
【請求項１６】
ドリルビット・ユニットが自立的であり、その駆動モータから切り離し可能である請求項１５に記載の装置。
【請求項１７】
フレームの所定の形状に関するデジタルデータはコンピュータのデータベースにおいてデジタル的に保存され、このデジタルデータから、コンピュータは、モータを制御して一致する形状を有するレンズを作成する請求項１２に記載の装置。
【請求項１８】
各々の作業台は、シャフトを介して自身の前記第１のモータによって駆動され、作業台を設定された位置に保持するために前記シャフトに引張り力を与えるための手段を更に備えた請求項１２に記載の装置。
【請求項１９】
前記引張り力を与えるための手段は、前記シャフトの周囲の渦巻ばねによって設けられ、このばねの１つの端部は、このシャフトに接続され、別の端部は固定部に接続されている請求項１８に記載の装置。
【手続補正２】
【補正対象書類名】明細書
【補正対象項目名】００３２
【補正方法】変更
【補正の内容】
【００３２】
ステッピング・モータ２２は、一連の直流電圧パルスによって回転し、パルスの極性に応じて、時計回りか反時計回りの方向に、パルス当りにつき１単位角度だけモータシャフト２３を段階的に回転する。これらのパルスは、プロセッサＣによってステッピング・モータ２２に与えられ、ステッピング・モータ２２に送られるパルス数および極性を制御することによって、正確に所望の角度位置に作業台２０およびブランクを配置することができる。
【手続補正３】
【補正対象書類名】明細書
【補正対象項目名】００３９
【補正方法】変更
【補正の内容】
【００３９】
昇降機２８は、プロセッサＣからの一連の直流パルスにより、電力を供給され、コンピュータ制御されたステッピング・モータ３３によって駆動される。ステッピング・モータ３３に与えられたパルスの数および極性は、昇降機２８がＹ方向にシフトされる方向および大きさを決定する。
【手続補正４】
【補正対象書類名】明細書
【補正対象項目名】００４０
【補正方法】変更
【補正の内容】
【００４０】
往復台３８は、垂直の柱３７に取り付けられているステッピング・モータ３９によって、軌道３５の左右に駆動される。そして、モータ３９は、往復台３８の端のねじ穴を通過する送りネジ４０を回す。ステッピング・モータ３９は、電力を供給されて、プロセッサＣにより与えられる直流パルス列によって、電力を供給され、制御される。
【手続補正５】
【補正対象書類名】明細書
【補正対象項目名】００４１
【補正方法】変更
【補正の内容】
【００４１】
このようにして、プロセッサＣによって、次の３つの位置が制御される。
【手続補正６】
【補正対象書類名】明細書
【補正対象項目名】００４５
【補正方法】変更
【補正の内容】
【００４５】
三つのステッピング・モータ３３，３９，２２の各々に動力パルス列を与えるプロセッサＣは、各々のパルス列の数と極性を変化させ、各々の動作を調整し、ドリルビット２９によって作業中のブランクの成形を行い、所望の形状のレンズを生成する。また、上記したように、プロセッサＣは、ドリルビット２９の回転を、特に、様々な回転速度で実行することができる。
【手続補正７】
【補正対象書類名】明細書
【補正対象項目名】００４６
【補正方法】変更
【補正の内容】
【００４６】
レンズの形状が、光学レンズが取り付けられる眼鏡のフレーム１０の半部１０Ｌおよび１０Ｒの形状と一致させる為に、プロセッサＣに、この形状を知らせる必要がある。この情報は、電子的スキャナＳによって、プロセッサＣに供給される。
【手続補正８】
【補正対象書類名】明細書
【補正対象項目名】００４７
【補正方法】変更
【補正の内容】
【００４７】
電子的スキャナＳは、光学レンズまたはクリップオン・アクセサリー１３に対して、そのフレーム形状が再生される処方眼鏡をスキャナし、そのデジタル画像を生成する。デジタル画像は、プロセッサＣによって処理され、それによってフレーム１０の所定の形状に関するデータが得られる。「所定の」形状の意味は、「デザイナーによって与えられた」フレームの形状という意味である。このデータは、プロセッサＣのプロセッサメモリのデータベースに格納されており、それによって、このプロセッサメモリは、装置の三つのステッピング・モータ３３，３９，２２がブランクに所望の形状を与えるように、指示することが可能となる。
【手続補正９】
【補正対象書類名】明細書
【補正対象項目名】００４９
【補正方法】変更
【補正の内容】
【００４９】
正しいデータを選んだかどうかを確認するために、作業者はプロセッサＣに接続されたモニタ画面に、選択されたフレーム形状の画像を表示し、クリップオン・アクセサリー１３を希望する眼鏡のフレーム１０と比較することができる。
【手続補正１０】
【補正対象書類名】明細書
【補正対象項目名】００５０
【補正方法】変更
【補正の内容】
【００５０】
本発明によるプロセッサＣで制御される装置において、スキャナＳによって抽出された眼鏡のフレーム１０の形状に関するデジタルデータは、プロセッサＣのデータベースに格納される。このデータは、成形されるブランクが、フレーム１０の形状と一致するレンズとなるように、フライス盤に指示するために用いられる。レンズに穴あけし、切欠きをつける必要がある場合、例えば、レンズをフレーム１０に取り付けるためにクリップオン・アクセサリーに１３固定用のクリップ部を設けるために、少なくとも、プロセッサＣには、フライス盤によって適当な位置に穴あけするソフトウェアが備えられている。
【手続補正１１】
【補正対象書類名】図面
【補正対象項目名】図３
【補正方法】変更
【補正の内容】
【図３】
2005510380.tif 000001